(57)【要約】【課題】リング状のフレームに複数個のピンチを吊り下げた物干し具であってピンチを吊り下げるフレームに金属材料を使用することで耐久性に優れ、かつ製造コストも低減可能な物干し具を提供すること、使用時に干し物の重みで変形し難く、使い勝手の良い物干し具を提供することを目的とする。【課題を解決するための手段】中空構造のアルミ合金製フレーム３０，４０に形成した穴３０ａにピンチ取付具７０の爪部７２を挿入して係着し、この取付具７０のリング部７１にピンチ吊り下げ部材８０を取り付けてピンチ６０を吊り下げる。各門型フレーム３１に横フレーム４１とＹ字形の補強フレーム４２とを組み込んだので、水分を多く含んで重い干し物を吊り下げても、メインフレーム３０が撓み難くする。【選択図】図３
2006026056.tif 000002
【特許請求の範囲】
【請求項１】
リング状のフレームに複数個のピンチを吊り下げた物干し具であって、前記フレームに平坦な底面を有し、該底面に複数個の穴を形成した中空構造の金属製フレームを用い、リング部と爪部を一体成形してなるピンチ取付具を、その爪部を前記穴に挿入して穴縁に係着し、前記リング部にピンチ吊り下げ部材の一端を掛止し、他端にピンチを掛止したことを特徴とする物干し具。
【請求項２】
前記金属製フレームを左右一対の門型フレームと、各門型フレームに取付けられた補強フレームから構成し、両門型フレームを使用時には拡開し、非使用時に重ねて折り畳むことができるように両門型フレームの基端部を互いに回動可能に連結し、前記補強フレームを、前記各門型フレームの両端を連結する横フレームと、３本の直線フレームをＹ字形に連結したＹ字フレームで構成し、Ｙ字フレームの両端部を各門型フレームの両柱部の上端部に連結し、Ｙ字フレームの脚部を横フレームの中間部に連結したことを特徴とする請求項１に記載の物干し具。  
【発明の詳細な説明】
【技術分野】
【０００１】
本発明は、円形や四角形のリング状フレームに複数個のピンチを吊り下げた物干し具に関する。
【背景技術】
【０００２】
一般に、この種の物干し具ではピンチを吊り下げるリング状フレームの材料にポリプロピレン等の硬質合成樹脂を用いている。
【特許文献１】特開２００１−１７８９９５
【発明の開示】
【発明が解決しようとする課題】
【０００３】
しかし、合成樹脂製のリング状フレームは経時変化により褪色したり、材質が脆くなり易く、耐久性に劣る。そこで、フレームの材料として、経時変化の少ないアルミ合金やステンレス等の金属材料を用いた物干し具が実用に供されている。
【０００４】
フレームの材料にアルミ合金等の金属材料を用いることにより、物干し具の耐久性を高めることが可能となるが、その反面、金属材料でフレームを成形する場合、ピンチを吊り下げる吊り下げ部材をフレームに連結するための構造が複雑になり、また、吊り下げ部材の組み付け作業性も悪く、そのため製造コストが高くなる。
本発明はかかる問題点に鑑み、ピンチを吊り下げるフレームに金属材料を使用することで耐久性に優れ、かつ製造コストも低減可能な物干し具を提供することを第１の目的とする。
また、使用時に干し物の重みで変形し難く、使い勝手の良い物干し具を提供することを第２の目的とする。
【課題を解決するための手段】
【０００５】
上記目的を達成するため、本発明は、リング状のフレームに複数個のピンチを吊り下げた物干し具であって、前記フレームに平坦な底面を有し、該底面に複数個の穴を形成した中空構造の金属製フレームを用い、リング部と爪部を一体成形してなるピンチ取付具を、その爪部を前記穴に挿入して穴縁に係着し、前記リング部にピンチ吊り下げ部材の一端を掛止し、他端にピンチを掛止したことを特徴とする。
そして、好ましくは前記金属製フレームを左右一対の門型フレームと、各門型フレームに取付けられた補強フレームから構成し、両門型フレームを使用時には拡開し、非使用時に重ねて折り畳むことができるように両門型フレームの基端部を互いに回動可能に連結し、前記補強フレームを、前記各門型フレームの両端を連結する横フレームと、３本の直線フレームをＹ字形に連結したＹ字フレームで構成し、Ｙ字フレームの両端部を各門型フレームの両柱部の上端部に連結し、Ｙ字フレームの脚部を横フレームの中間部に連結する。
【発明の効果】
【０００６】
本発明によれば、金属製フレームを採用したので、物干し具の耐久性が向上する。また、中空構造の金属製フレームに形成した穴にピンチ取付具を係着し、この取付具にピンチ吊り下げ部材を取り付けてピンチを吊り下げるので、ピンチのフレームへの装着作業が簡単になり、組み付け作業性が良い。加えて、金属製フレームに平坦な底面を設けたので、ピンチ取付具を係着するための穴明け加工も容易になる。このため、物干し具の製造コストを低減できる。
また、金属製フレームに一対の門型フレームを採用して両門型フレームを拡げたり、折り畳むことができるように回動可能に連結したので、収納に嵩張らず便利である。
さらに、各門型フレームにＹ字形の補強フレームを組み込んだので、水分を多く含んで重い干し物を吊り下げても、フレームが撓み難く、使い勝手が良い。
【発明を実施するための最良の形態】
【０００７】
アルミ合金の押し出し型材を門型に曲げ加工した左右一対の門型のメインフレームをヒンジで回動可能に連結し、各門型フレームに横フレームとＹ字形フレームから成るアルミ押し出し型材製の補強フレームを組み付ける。メインフレームと補強フレームは中空構造を有し、断面形状が蒲鉾型で平坦な底面を有するように成形したものを用いる。そして、フレームの底面に複数個の穴を形成し、リング部と爪部を一体成形してなるピンチ取付具を、その爪部を前記穴中に挿入して穴縁に係着し、前記リング部にピンチ吊り下げ部材の一端を掛止し、他端にピンチを掛止する。
【実施例１】
【０００８】
以下に本発明を図面に基づき説明するに、図１及び図２には本発明の一実施例に係る物干し具１０が示されている。当該物干し具１０は吊り手２０、略長方形のリング状メインフレーム３０、メインフレーム３０に組み付けた補強フレーム４０、吊り手２０とメインフレーム３０の四隅を連結する左右２本のロッド５０、及びメインフレーム３０と補強フレーム４０から吊り下げた多数のピンチ６０で構成されている。
【０００９】
メインフレーム３０はアルミ押し出し型材を門型に曲げ加工した左右一対の門型フレーム３１から成り、各門型フレーム３１は二本の柱部３１ａと両柱部３１ａを繋ぐ梁部３１ｂから成る。そして、両門型フレーム３１の両端部が互いに回動可能にプラスチック製のヒンジ部材３２で連結されている。
【００１０】
補強フレーム４０は一本の横フレーム４１と、Ｙ字形フレーム４２から成り、これら補強フレーム４０はいずれもアルミ合金の押し出し型材を所定寸法に切断したものを用いている。横フレーム４１は各門型フレーム３１の両柱部３１ａの基端部にＴ字形の連結部材３３で取り付けられて、両柱部３１ａを連結している。Ｙ字形フレーム４２は３本の直線フレームを三つ又状の連結部材４３で連結して構成され、両端がメインフレーム３１の柱部３１ａの上端部に連結部材４４で連結され、脚部が横フレーム４１の中央部に連結部材４５で連結されている。
【００１１】
吊り手２０は、ベースブラケット２１、フック２２、ハンドル２３から成り、フック２２はベースブラケット２１に立設して固定されている。また、ハンドル２３はフック２２の中間部に回動可能に組み付けられ、図示略のスプリングで、その先端部がフック２２の先端部に当接してフック２２の口を閉じるように付勢されている。ベースブラケット２１には左右両端の両側にスリット２１ａが形成されている。
【００１２】
各ロッド５０は山形の外形を有し、頂部をベースフレーム２１のスリット２１ａに挿通し、両端部をそれぞれ連結部材４４に一体成形したリング部４４ａに掛止されている。
【００１３】
図３に拡大して示すように、メインフレーム３０は断面形状が蒲鉾型の中空構造を有し、平坦な底面３０ａに一定間隔で穴３０ｂが形成されている。補強フレーム４０も同じ材料が使用されている。ピンチ６０はプラスチック成型品のピンチ取付具７０とピンチ吊り下げ部材８０によって各穴３０ｂに取り付けられている。
【００１４】
図３及び図４に示すように、ピンチ取付具７０はリング部７１と２本の爪部７２から成り各部は一体成形されている。各爪部７２は先端が細くリング部７１との連結部に向けて厚みが漸増するように外側がテーパ面７２ａに形成され、基端部に凹部７２ｂが形成されている。ピンチ吊り下げ部材８０は両端にフック部８１，８２が一体成形されている。
【００１５】
ピンチ取付具７０は穴３０ｂに爪部７２を挿入し、穴縁に凹部７２ｂを掛止してフレーム３０，４０に取り付けられている。爪部７２を穴３０ｂに挿入するとき両爪部７２が撓んで間隔が縮まり、基端部が穴縁を通過すると拡開して穴縁に凹部７２ｂが掛止される。ピンチ６０はピンチ吊り下げ部材８０の一端のフック部８１をピンチ取付具７０のリング部７１に掛止し、他端のフック部８２をピンチ６０の円形スプリング６１に掛止することにより、フレーム３０，４０から吊り下げられている。
【００１６】
本実施形態に係る物干し具１０の構造は以上の通りであって、使用するときは図１及び図２に示すように、両門型フレーム３１を拡開し、ピンチ６０に洗濯物を挟んで吊り下げ、吊り手２０のハンドル２３を押してフック２２の口を開き、フック２２を物干し竿等に掛止して物干し具１０を吊す。一方、使用しないときは、図５に示すように、両門型フレーム３１をヒンジ３２から折り畳んで重ね合わせる。
【００１７】
本実施形態に係る物干し具１０は、中空構造のアルミ合金製フレーム３０，４０に形成した穴３０ａにピンチ取付具７０の爪部７２を挿入して係着し、この取付具７０のリング部７１にピンチ吊り下げ部材８０を取り付けてピンチ６０を吊り下げるので、ピンチ６０のフレーム３０，４０への装着作業が簡単になり、組み付け作業性が良い。アルミ合金製フレーム３０，４０に平坦な底面３０ａを設けたので、穴明け加工も容易になる。このため、物干し具１０の製造コストを低減できる。
また、アルミ合金製フレーム３０に一対の門型フレーム３１を採用して両門型フレーム３１を拡げたり、折り畳むことができるように回動可能に連結したので、収納に嵩張らず便利である。
さらに、各門型フレーム３１に横フレーム４１とＹ字形の補強フレーム４２とを組み込んだので、水分を多く含んで重い干し物を吊り下げても、メインフレーム３０が撓み難く、使い勝手が良い。
【図面の簡単な説明】
【００１８】
【図１】本発明の一実施例に係る物干し具を示す斜視図である。
【図２】同物干し具を示す平面図である。
【図３】同物干し具のピンチ取付具とピンチ吊り下げ部材及びピンチを示す一部破断した組み付け図である。
【図４】同物干し具のピンチ取付具を示す斜視図である。
【図５】同物干し具の折り畳み状態を示す正面図である。
【符号の説明】
【００１９】
１０…物干し具、２０…吊り手、３０…メインフレーム、３０ａ
…底面、３０ｂ…穴、４０…補強フレーム、４１…横フレーム、４２…Ｙ字形フレーム、６０…ピンチ、７０…ピンチ取付具、７１…リング部、７２…爪部、８０…ピンチ吊り下げ部材。
【図１】
2006026056.tif 000003
【図２】
2006026056.tif 000004
【図３】
2006026056.tif 000005
【図４】
2006026056.tif 000006
【図５】
2006026056.tif 000007